(57)【要約】【課題】生きたおとりの魚を釣り針に装着し、肉食魚を釣る「泳がせ釣り」に於いて、おとりの魚の体力低下を軽減でき、かつ、おとりの魚が外れ難い釣り針を提供する。【解決手段】針先部１５に連設する先曲げ部１２と、先曲げ部１２とチモト部１４との間に設けられた腰曲がり部１３とを備えた泳がせ釣り用の釣り針であって、先曲げ部１２と腰曲がり部１３との間に外側に膨出する鼻環部１７を有し、先曲げ部１２と鼻環部１７との連接部１８でくびれをなしていることを特徴とする釣り針。【選択図】図１
2017108731.tif 000002
【特許請求の範囲】
【請求項１】
針先部に連設する先曲げ部と、前記先曲げ部とチモト部との間に設けられた腰曲がり部とを備えた泳がせ釣り用の釣り針であって、前記先曲げ部と前記腰曲がり部との間に外側に向かって膨出する鼻環部を有し、前記先曲げ部と前記鼻環部との連接部でくびれをなしていることを特徴とする釣り針。
【請求項２】
前記腰曲がり部と前記鼻環部との連接部でくびれをなしていることを特徴とする請求項１に記載の釣り針。
【請求項３】
前記鼻環部は円弧状に形成されていることを特徴とする請求項１または２に記載の釣り針。
【発明の詳細な説明】
【技術分野】
【０００１】
本発明は、おとりとしての生きた魚に装着する釣り針に関する。
【背景技術】
【０００２】
生きたおとりの魚を釣り針に装着し、肉食魚を釣る「泳がせ釣り」がある。例えば、生きたイワシやアジに釣り針に刺し、本魚を捕食するヒラメやブリを釣ることがある。このとき、釣り針は、おとりの魚を傷つけ体力を低下させる。
【０００３】
図１８に従来の釣り針を略示する拡大側面図を示す。図１８に示す釣り針３は、湾曲する先曲げ部３２と腰曲がり部３３とを備え、その両端が互いに略同じ方角をなしてＪ字型に形成されている。腰曲がり部３３から略直線状の胴部３１を経由して延びる第１の端部には、釣り糸を締結保持するチモト部３４が形成されている。また、先曲げ部３２から延びる第２の端部には、先端が尖った針先部３５が形成されている。針先部３５の手前内面（胴部３１側の面）には、針先部３５と逆方向に尖ったかえし部３６が形成されている。
【０００４】
本釣り針をおとりの魚の背部や腹部に刺すと、釣り針を刺した傷口は釣り針に引っ張られ次第に広がり、おとりの魚の体力を低下させる。骨格を主として薄く形成されるおとりの魚の上顎や鼻孔近傍であっても、釣り針を刺した箇所が裂け、外れかけた釣り針の針先部やかえし部がおとりの魚の眼球や頭部などに刺さって、おとりの魚の体力を低下させる。
【０００５】
このようなことから、おとりの魚の体力低下を防止する釣り針が提案されている。このような釣り針を例えば特許文献１及び２に見ることができる。
【０００６】
特許文献１に記載の釣り針では、「捕獲用の大きい釣り針の底辺部と誘き寄せ用の小さい釣り針の底辺部を溶接で結合させる構成」（段落０００５）となっており、「オトリとなる餌の小魚に小針を取り付けることにより、より元気に長く泳がすことができる」（段落０００６）。また、この釣り針では、「オトリの小魚が外れないように塩ビをストッパーとして取り付ける構造となっている」（段落０００８）。
【０００７】
特許文献２に記載の釣り針では、「針先の下方位置に、釣り針を構成する細径の線材に押圧加工を施すことによって板状に形成した構造」（段落０００４）となっており、「釣り中にオトリ鮎から逆針が不用意に外れるといった事態を防止し得るとともに、針の軸部に先尖り状の突起部が形成されていないため、その取り外しに際し、オトリ鮎を傷めることがない」（段落０００６）。
【先行技術文献】
【特許文献】
【０００８】
【特許文献１】特開２０１１−２４４８０６号公報
【特許文献２】実開平０７−１４８６４号公報
【発明の概要】
【発明が解決しようとする課題】
【０００９】
特許文献１に記載の釣り針は、上述した効果があるものの、魚を装着する誘き寄せ用の小さい釣り針にかえしがないから、塩化ビニールをストッパーとして取り付けても、釣り針を引っ張ったとき魚は釣り針から外れるおそれがある。
【００１０】
特許文献２に記載の釣り針も上述した効果があるものの、針先の下方に形成された平板部の両端が円弧状であるから、釣り針を引っ張ったとき魚は釣り針から外れるおそれがある。
【００１１】
本発明は斯かる事情に鑑みてなされたものであり、その目的とするところは、おとりの魚の体力低下を軽減でき、かつ、おとりの魚が外れ難い釣り針を提供することにある。
【課題を解決するための手段】
【００１２】
本発明の釣り針は、針先部に連設する先曲げ部と、前記先曲げ部とチモト部との間に設けられた腰曲がり部とを備えた泳がせ釣り用の釣り針であって、前記先曲げ部と前記腰曲がり部との間に外側に向かって膨出する鼻環部を有し、前記先曲げ部と前記鼻環部との連接部でくびれをなしていることを特徴とする。
【００１３】
本発明の釣り針は、前記腰曲がり部と前記鼻環部との連接部でくびれをなしていることを特徴とする。
【００１４】
本発明の釣り針は、前記鼻環部が円弧状に形成されていることを特徴とする。
【発明の効果】
【００１５】
本発明の釣り針においては、釣り針をおとりの魚の一方の鼻孔から他方の鼻孔に挿通し、先曲げ部と腰曲がり部との間に形成された鼻環部近傍でおとりの魚の鼻孔部を保持させることができる。これにより、釣り針の装着に伴うおとりの魚への損傷を抑えられ、おとりの魚の体力低下を軽減できる。更に、先曲げ部と鼻環部との連接部でくびれをなしているため、鼻環部からおとりの魚の鼻孔部がすり抜けしづらく、遊泳中のおとりの魚が釣り針から外れ難い。
【００１６】
本発明の釣り針においては、腰曲がり部と鼻環部との連接部でくびれをなしているため、おとりの魚の鼻孔部が腰曲がり部に相対移動しづらく、おとりの魚の部位は針先部に刺さり難い。これにより、遊泳中のおとりの魚の体力低下を軽減できる。
【００１７】
本発明の釣り針においては、鼻環部が円弧状に形成されているため、釣り針に対しておとりの魚がスライド移動する際に、おとりの魚の鼻孔部は鼻環部の円弧方向に沿って容易に相対移動でき、おとりの魚に対する衝撃を低減できる。これにより、遊泳中のおとりの魚の体力低下を軽減できる。
【図面の簡単な説明】
【００１８】
【図１】実施例１に係る釣り針１を略示する拡大側面図である。
【図２】実施例１に係る釣り針１の鼻環部及びその周辺を略示する拡大側面図である。
【図３】実施例２に係る釣り針２を略示する拡大側面図である。
【図４】実施例２に係る釣り針２の鼻環部及びその周辺を略示する拡大側面図である。
【図５】実施例２に係る釣り針２の鼻環部及びその周辺を略示する拡大正面図である。
【図６】実施例２に係る釣り針２の鼻環部及びその周辺を略示する拡大斜視図である。
【図７】実施例２に係る釣り針２の鼻環部及びその周辺を略示する拡大斜視図である。
【図８】実施例２に係る釣り針２の変形例を略示する拡大側面図である。
【図９】実施例２に係る釣り針２の変形例を略示する拡大側面図である。
【図１０】実施例２に係る釣り針２の変形例を略示する拡大側面図である。
【図１１】実施例２に係る釣り針２の変形例を略示する拡大側面図である。
【図１２】実施例２に係る釣り針２の変形例を略示する拡大正面図である。
【図１３】実施例２に係る釣り針２の変形例を略示する拡大上面図である。
【図１４】実施例２に係る釣り針２の変形例を略示する拡大正面図である。
【図１５】実施例２に係る釣り針２の変形例を略示する拡大上面図である。
【図１６】実施例２に係る釣り針２の変形例を略示する拡大正面図である。
【図１７】実施例２に係る釣り針２の変形例を略示する拡大上面図である。
【図１８】従来の釣り針を略示する拡大側面図である。
【発明を実施するための形態】
【実施例１】
【００１９】
以下に、本発明の実施例１に係る釣り針１ついて、図１、図２を用いて説明する。
【００２０】
本発明の実施例１に係る釣り針１を略示する拡大側面図を図１に示す。釣り針１は、湾曲する先曲げ部１２と腰曲がり部１３とを備え、その両端が互いに略同じ方角をなしてＪ字型に形成されている。腰曲がり部１３から略直線状の胴部１１を経由して延びる第１の端部には、釣り糸を締結保持するチモト部１４が形成されている。また、先曲げ部１２から延びる第２の端部には、先端が尖った針先部１５が形成されている。針先部１５の手前内面（胴部１１側の面）には、針先部１５と逆方向に尖ったかえし部１６が形成されている。釣り針１は、胴部１１から先曲げ部１２にわたり、断面が略円形で且つ略同径をなしている。なお、以下の説明において、針先部１５（先曲げ部１２）側を前、胴部１１（腰曲がり部１３）側を後ろとし、図１の姿勢で紙面表裏側をそれぞれ右、左（側面）とする。
【００２１】
釣り針１の先曲げ部１２と腰曲がり部１３との間には、外側に向かって膨出する円弧（楕円及び螺旋の孤を含む）状の鼻環部１７が形成されている。鼻環部１７は、先曲げ部１２と腰曲がり部１３とによって規定される平面と平行方向に膨出している。また、先曲げ部１２と鼻環部１７とは連接部１８によって連なり、連接部１８では鋭角なくびれをなしている。本くびれの形状は、おとりの魚に損傷を与えない程度に身を引き伸ばしたとき、本魚の鼻孔部を鼻環部１７に挿通できる程度に形成されていることが好ましい。
【００２２】
以下に、本発明の実施例１に係る釣り針１の使用状態について、更に説明する。
【００２３】
釣り針１の鼻環部１７及びその周辺を略示する拡大側面図を図２に示す。図２に示すように、釣り針１を使用する際には、魚Ｆの一方の鼻孔Ｎから他方の鼻孔Ｎに対して、釣り針１を針先部１５から挿通し、魚Ｆの鼻孔部（鼻孔Ｎ、Ｎの間の部分）が鼻環部１７近傍に達するまで釣り針１を移動させる。このような状態で、釣り針１が釣り糸（図示せず）によって引っ張られ傾き、または、魚Ｆの動きによって、釣り針１に対して魚Ｆが前方（Ａ方向）に相対移動する場合がある。このとき、魚Ｆの鼻孔部が連接部１８近傍まで移動すると、魚Ｆの頭部（顎部を含む）が先曲げ部１２の略外面と接触し、釣り針１に対する魚Ｆの同方向への相対的な移動が抑制される。これにより、魚Ｆが釣り針１から抜け出し難くなる。
【００２４】
以上詳述した如く、本実施例の形態においては、鼻環部１７が先曲げ部１２と腰曲がり部１３との間で外側に膨出するように形成されており、魚Ｆの鼻孔部を針先部１５から挿通して鼻環部１７近傍で保持することができる。よって、釣り針の装着に伴う魚Ｆへの損傷を抑えられ、魚Ｆの体力低下を軽減できる。更に先曲げ部１２と鼻環部１７との連接部１８でくびれをなしているので、釣り針１に対して魚Ｆが相対移動した際に、魚Ｆが先曲げ部１２に接触することにより魚Ｆの相対移動が抑制され、魚Ｆの鼻孔部が鼻環部１７からすり抜けしづらく、魚Ｆが釣り針から外れ難い。
【００２５】
また、上述の実施の形態においては、鼻環部１７が円弧状に形成されているので、釣り針１に対して魚Ｆがスライド移動する際に、魚Ｆの鼻孔部は鼻環部１７の円弧方向に沿って容易に移動でき、魚Ｆに対する衝撃を低減できる。これにより、遊泳中の魚Ｆの体力低下を軽減できる。
【実施例２】
【００２６】
続いて、本発明の実施形態に係わる釣り針２ついて、図３から図７を用いて説明する。
【００２７】
本発明の実施例２に係る釣り針２を略示する拡大側面図を図３に示す。釣り針２は、湾曲する先曲げ部２２と腰曲がり部２３とを備え、その両端が互いに略同じ方角をなしてＪ字型に形成されている。腰曲がり部２３から略直線状の胴部２１を経由して延びる第１の端部には、釣り糸を締結保持するチモト部２４が形成されている。また、先曲げ部２２から延びる第２の端部には、先端が尖った針先部２５が形成されている。針先部２５の手前内面（胴部２１側の面）には、針先部２５と逆方向に尖ったかえし部２６が形成されている。釣り針２は、胴部２１から先曲げ部２２にわたり、断面が略円形で且つ略同径をなしている。なお、以下の説明において、針先部２５（先曲げ部２２）側を前、胴部２１（腰曲がり部２３）側を後ろとし、図３の姿勢で紙面表裏側をそれぞれ右、左（側面）とする。
【００２８】
釣り針２の先曲げ部２２と腰曲がり部２３との間には、外側に向かって膨出する円弧（楕円及び螺旋の孤を含む）状の鼻環部２７が形成されている。鼻環部２７は、先曲げ部２２と腰曲がり部２３とによって規定される平面と平行方向に膨出している。先曲げ部２２と鼻環部２７とは連接部２８によって連なり、腰曲がり部２３と鼻環部２７とは連接部２８’によって連なっている。また、連接部２８及び連接部２８’では鋭角なくびれをなし、連接部２８と連接部２８’とが近接している。本くびれの形状及び本くびれの開口幅（連接部２８の先端と連接部２８’の先端との幅）は、おとりの魚に損傷を与えない程度に身を引き伸ばしたとき、本魚の鼻孔部を鼻環部２７に挿通できる程度に形成されていることが好ましい。
【００２９】
以下に、本発明の実施例２に係る釣り針２の使用状態について、更に説明する。
【００３０】
釣り針２の鼻環部２７及びその周辺を略示する拡大側面図を図４に示す。図４に示すように、釣り針２を使用する際には、魚Ｆの一方の鼻孔Ｎから他方の鼻孔Ｎに対して、釣り針２を針先部２５から挿通し、魚Ｆの鼻孔部（鼻孔Ｎ、Ｎの間の部分）が鼻環部２７近傍に達するまで釣り針２を移動させる。このような状態で、釣り針２が釣り糸（図示せず）によって引っ張られ傾き、または、魚Ｆの動きによって、釣り針２に対して魚Ｆが前方（Ｃ方向）に相対移動する場合がある。このとき、魚Ｆの鼻孔部が連接部２８近傍まで移動すると、魚の頭部（顎部を含む）が先曲げ部２２の略外面に接触し、釣り針２に対する魚Ｆの同方向への相対的な移動が抑制される。これにより、魚Ｆが釣り針２から抜け出し難くなる。また、釣り針２に対して魚Ｆが後方（Ｃ’方向）に相対移動し、魚Ｆの鼻孔部が連接部２８’近傍まで移動した場合も同様に、魚Ｆの頭部（顎部を含む）が腰曲がり部２３の略外面に接触し、釣り針２に対する魚Ｆの同方向への相対的な移動が抑制される。これにより、魚Ｆの鼻孔部が腰曲がり部２３や胴部２１に移動しづらく、魚Ｆの部位は針先部２５に刺さり難い。
【００３１】
釣り針２の鼻環部２７及びその周辺を略示する拡大正面図を図５に、また、釣り針２の鼻環部２７及びその周辺を略示する拡大斜視図を図６、図７に示す。上述の使用状態で、釣り針２が釣り糸（図示せず）によって引っ張られ、または、魚Ｆの動きによって、釣り針２に対して魚Ｆが鼻孔部を回転軸として回転移動する場合がある。このとき、魚の頭部（顎部を含む）の大きさよりも鼻環部２７の大きさが小さい釣り針２を使用していれば、魚Ｆが釣り針２に対して相対回転を続けると、魚Ｆの頭部（顎部を含む）が鼻環部２７の左側面と接触し、釣り針２に対する魚Ｆの相対回転移動が抑制される（図６参照）。魚Ｆが釣り針２に対して逆方向に相対回転を続ける場合も同様に、魚Ｆの頭部（顎部を含む）が鼻環部２７の右側面と接触し、釣り針２に対する魚Ｆの相対回転移動が抑制される（図７参照）。
【００３２】
以上詳述した如く、本実施例の形態においては、鼻環部２７が先曲げ部２２と腰曲がり部２３との間で外側に膨出するように形成されており、魚Ｆの鼻孔部を針先部２５から挿通して鼻環部２７近傍で保持することができる。よって、釣り針の装着に伴う魚Ｆへの損傷を抑えられ、魚Ｆの体力低下を軽減できる。また、先曲げ部２２と鼻環部２７との連接部２８でくびれをなしているので、釣り針２に対して魚Ｆが相対移動した際に、魚Ｆが先曲げ部２２に接触することにより魚Ｆの相対移動が抑制され、魚Ｆの鼻孔部が鼻環部２７からすり抜けしづらく、魚Ｆが釣り針から外れ難い。更に腰曲がり部２３と鼻環部２７との連接部２８’でくびれをなしているので、釣り針２に対して魚Ｆが相対移動した際に、魚Ｆが腰曲がり部２３に接触することにより魚Ｆの相対移動が抑制され、魚Ｆの鼻孔部が腰曲がり部２３や胴部２１に移動しづらく、魚Ｆの部位は針先部２５に刺さり難い。これにより、遊泳中の魚Ｆの体力低下を軽減できる。
【００３３】
また、上述の実施の形態においては、鼻環部２７が円弧状に形成されているので、釣り針２に対して魚Ｆがスライド移動する際に、魚Ｆの鼻孔部は鼻環部２７の円弧方向に沿って容易に移動でき、魚Ｆに対する衝撃を低減できる。これにより、遊泳中の魚Ｆの体力低下を軽減できる。
【００３４】
以上、本発明の実施形態について詳細に説明したが、本発明は、前記実施形態に何ら限定されるものではなく、本発明の趣旨を逸脱しない範囲において種々の改良が可能である。
【００３５】
実施例１及び実施例２の形態においては、腰曲がり部から略直線状の胴部を経由して延びる端部にチモト部が形成されているが、これに限らず、胴部が無く腰曲がり部の端部にチモト部が形成されるものであっても構わない。その一例として、図８に実施例２に係る釣り針２の変形例となる釣り針２ａの拡大側面図を示す。釣り針２ａは、腰曲がり部２３ａが略半円状に湾曲し、その端部にチモト部２４ａが形成されている。釣り針２ａの形状の内、釣り針２と同様な形状となる箇所については同じ符号を付し、その詳細な説明を省略する。
【００３６】
実施例１の形態においては、先曲げ部と鼻環部との連接部で鋭角なくびれをなし、実施例２の形態においては、先曲げ部と鼻環部との連接部、及び腰曲がり部と鼻環部との連接部で鋭角なくびれをなしているが、これに限らず、連接部で鈍角なくびれをなすものであっても構わない。その一例として、図９に実施例２に係る釣り針２の変形例となる釣り針２ｂの拡大側面図を示す。釣り針２ｂは、先曲げ部２２ｂと腰曲がり部２３ｂとの間に、外側に向かって略半円状に膨出する鼻環部２７ｂが形成されている。先曲げ部２２ｂと鼻環部２７ｂとは連接部２８ｂによって連なり、腰曲がり部２３ｂと鼻環部２７ｂとは連接部２８ｂ’によって連なっている。釣り針２ｂは、連接部２８ｂ及び連接部２８ｂ’で鈍角なくびれをなしている。釣り針２ｂの形状の内、釣り針２と同様な形状となる箇所については同じ符号を付し、その詳細な説明を省略する。
【００３７】
実施例２の形態においては、連接部が互いに近接し、鼻環部が膨出形成されているが、これに限らず、連接部以外の箇所で近接し鼻環部が膨出形成されるものであっても構わない。その一例として、図１０に実施例２に係る釣り針２の変形例となる釣り針２ｃの拡大側面図を示す。釣り針２ｃは、腰曲がり部２３ｃの内面方向に湾曲する先曲げ部２２ｃを備え、先曲げ部２２ｃと腰曲がり部２３ｃとの間には、外側に向かって膨出する鼻環部２７ｃが形成されている。先曲げ部２２ｃと鼻環部２７ｃとは連接部２８ｃによって連なり、腰曲がり部２３ｃと鼻環部２７ｃとは連接部２８ｃ’によって連なっている。連接部２８ｃ’は膨出する鼻環部２７ｃ上のある一点と近接している。釣り針２ｃの形状の内、釣り針２と同様な形状となる箇所については同じ符号を付し、その詳細な説明を省略する。
【００３８】
実施例１及び実施例２の形態においては、先曲げ部と腰曲がり部との間に円弧状の鼻環部が形成されているが、これに限らず、鼻環部が直線や角を含む形状であっても構わない。その一例として、図１１に実施例２に係る釣り針２の変形例となる釣り針２ｄの拡大側面図を示す。釣り針２ｄは、先曲げ部２２と腰曲がり部２３との間に、外側に向かって膨出する略壺状の鼻環部２７ｄが形成されている。先曲げ部２２と鼻環部２７ｄとは連接部２８ｄによって連なり、腰曲がり部２３と鼻環部２７ｄとは連接部２８ｄ’によって連なっている。釣り針２ｄの形状の内、釣り針２と同様な形状となる箇所については同じ符号を付し、その詳細な説明を省略する。
【００３９】
実施例１及び実施例２の形態においては、鼻環部が先曲げ部と腰曲がり部とによって規定される平面と平行方向に膨出しているが、これに限らず、鼻環部が先曲げ部と腰曲がり部とによって規定される平面と異なる方向に膨出するものであっても構わない。その一例として、図１２、図１３に実施例２に係る釣り針２の変形例となる釣り針２ｅの拡大正面図及び拡大上面図を、また、図１４、図１５に実施例２に係る釣り針２の変形例となる釣り針２ｆの拡大正面図及び拡大上面図を示す。釣り針２ｅは、鼻環部２７ｅが先曲げ部２２と腰曲がり部２３とによって規定される平面と交差する方向に傾いて膨出し、針先部２５（先曲げ部２２）側を手前にして腰曲がり部２３の湾曲方向から釣り針２ｅを見たとき、鼻環部２７ｅは左右方向に傾いている（図１２参照）。先曲げ部２２と鼻環部２７ｅとは連接部２８ｅによって連なり、腰曲がり部２３と鼻環部２７ｅとは連接部２８ｅ’によって連なっている。釣り針２ｆは、鼻環部２７ｆがコイル状に捻れ、針先部２５（先曲げ部２２）側を手前にして腰曲がり部２３の湾曲方向から釣り針２ｆを見たとき、腰曲がり部２３と先曲げ部２２とは鼻環部２７ｆを介して平行をなしている（図１４参照）。先曲げ部２２と鼻環部２７ｆとは連接部２８ｆによって連なり、腰曲がり部２３と鼻環部２７ｆとは連接部２８ｆ’によって連なっている。釣り針２ｅ、２ｆの形状の内、釣り針２と同様な形状となる箇所については同じ符号を付し、その詳細な説明を省略する。
【００４０】
実施例１及び実施例２の形態においては、先曲げ部と腰曲がり部とが同じ平面上で湾曲しているが、これに限らず、先曲げ部と腰曲がり部とが異なる方向を向いて湾曲するものであっても構わない。その一例として、図１６、図１７に実施例２に係る釣り針２の変形例となる釣り針２ｇの拡大正面図及び拡大上面図を示す。釣り針２ｇは、先曲げ部２２ｇが腰曲がり部２３と異なる方向を向いて湾曲し、針先部２５（先曲げ部２２ｇ）側を手前にして腰曲がり部２３の湾曲方向から釣り針２ｇを見たとき、先曲げ部２２ｇは左右方向に傾いている（図１６参照）。先曲げ部２２ｇと鼻環部２７とは連接部２８ｇによって連なっている。釣り針２ｇの形状の内、釣り針２と同様な形状となる箇所については同じ符号を付し、その詳細な説明を省略する。
【００４１】
実施例１及び実施例２の形態においては、胴部から先曲げ部にわたり、断面が略円形で且つ略同径をなしているが、これに限らず、たとえば、断面が略長方形をなすものであっても構わない。たとえば、鼻環部での断面の太さが先曲げ部や腰曲がり部での断面の太さより細いものであっても構わない。
【符号の説明】
【００４２】
１、２、２ａ、２ｂ、２ｃ、２ｄ、２ｅ、２ｆ、２ｇ、３  釣り針
１１、２１、３１  胴部
１２、２２、２２ｂ、２２ｃ、２２ｇ、３２  先曲げ部
１３、２３、２３ａ、２３ｂ、２３ｃ、３３  腰曲がり部
１４、２４、２４ａ、３４  チモト部
１５、２５、３５  針先部
１６、２６、３６  かえし部
１７、２７、２７ｂ、２７ｃ、２７ｄ、２７ｅ、２７ｆ  鼻環部
１８、２８、２８’、２８ｂ、２８ｂ’、２８ｃ、２８ｃ’、２８ｄ、２８ｄ’、２８ｅ、２８ｅ’、２８ｆ、２８ｆ’、２８ｇ  連接部
Ｆ  魚
Ｎ  鼻孔
Ａ、Ｃ、Ｃ’  魚の移動方向
【図１】
2017108731.tif 000003
【図２】
2017108731.tif 000004
【図３】
2017108731.tif 000005
【図４】
2017108731.tif 000006
【図５】
2017108731.tif 000007
【図６】
2017108731.tif 000008
【図７】
2017108731.tif 000009
【図８】
2017108731.tif 000010
【図９】
2017108731.tif 000011
【図１０】
2017108731.tif 000012
【図１１】
2017108731.tif 000013
【図１２】
2017108731.tif 000014
【図１３】
2017108731.tif 000015
【図１４】
2017108731.tif 000016
【図１５】
2017108731.tif 000017
【図１６】
2017108731.tif 000018
【図１７】
2017108731.tif 000019
【図１８】
2017108731.tif 000020